(57)【要約】【課題】遠方の目的地への移動を促すとともに、目的地周辺地域の店舗または施設に対する訪問価値を高めて地域活性化に結び付けることが可能な広告の配信技術を提供する。【解決手段】広告配信システムは、自宅または居住地から目的地までの距離が所定値以上の車両に対して、車両に乗車する車両乗員の属性に応じ、且つ、距離に比例する割引率を備えた特典情報を、目的地周辺の店舗または施設の第１広告とともに配信することと、目的地周辺の店舗または施設への車両乗員による特典情報の提示により、車両乗員の自宅または居住地に関する情報を登録することと、登録された自宅または居住地の属する地域からの来訪を示す来訪情報を目的地周辺の店舗または施設の第２広告に提示することと、を実行する制御部を備える。【選択図】図１０
2020052713.tif 000002
【特許請求の範囲】
【請求項１】
自宅または居住地から目的地までの距離が所定値以上の車両に対して、前記車両に乗車する車両乗員の属性に応じ、且つ、前記距離に比例する割引率を備えた特典情報を、前記目的地周辺の店舗または施設の第１広告とともに配信することと、
前記目的地周辺の店舗または施設への前記車両乗員による特典情報の提示により、前記車両乗員の自宅または居住地に関する情報を登録することと、
前記登録された自宅または居住地の属する地域からの来訪を示す来訪情報を前記目的地周辺の店舗または施設の第２広告に提示することと、
を実行する制御部を備える広告配信システム。
【発明の詳細な説明】
【技術分野】
【０００１】
本発明は、広告を用いた地域活性化を図る広告配信システムに関する。
【背景技術】
【０００２】
特許文献１には、ユーザ側から指定された地域やジャンル等に基づいて、該当する地域情報を提供することで地域を活性化させる技術が開示されている。
【先行技術文献】
【特許文献】
【０００３】
【特許文献１】特開２００６−０５９１６６号公報
【発明の概要】
【発明が解決しようとする課題】
【０００４】
しかしながら、上記背景技術には、地域を活性化させるために広告を配信するうえで改善の余地がある。本発明は、遠方の目的地への移動を促すとともに、目的地周辺地域の店舗または施設に対する訪問価値を高めて地域活性化に結び付けることが可能な広告の配信技術の提供を目的とする。
【課題を解決するための手段】
【０００５】
本発明の態様の一つは、広告配信システムとして例示される。本広告配信システムは、自宅または居住地から目的地までの距離が所定値以上の車両に対して、車両に乗車する車両乗員の属性に応じ、且つ、距離に比例する割引率を備えた特典情報を、目的地周辺の店舗または施設の第１広告とともに配信することと、目的地周辺の店舗または施設への車両乗員による特典情報の提示により、車両乗員の自宅または居住地に関する情報を登録することと、登録された自宅または居住地の属する地域からの来訪を示す来訪情報を目的地周辺の店舗または施設の第２広告に提示することと、を実行する制御部を備える。
【発明の効果】
【０００６】
本発明によれば、遠方の目的地への移動を促すとともに、目的地周辺地域の店舗または施設に対する訪問価値を高めて地域活性化に結び付けることが可能な広告の配信技術が提供できる。
【図面の簡単な説明】
【０００７】
【図１】第１実施形態に係る広告表示システムのシステム構成の一例を示す図である。
【図２】広告情報の配信を説明する図である。
【図３】広告配信サーバ、車載装置、乗員端末の各ハードウェア構成の一例を示す図である。
【図４】広告配信サーバの機能構成の一例を示す図である。
【図５】広告情報ＤＢに格納される広告情報の一例を示す図である。
【図６】ユーザ情報ＤＢに格納されるユーザ情報の一例を示す図である。
【図７】利用履歴ＤＢに格納される利用履歴の一例を示す図である。
【図８】広告配信サーバ、車載装置、乗員端末、店舗端末、広告主サーバが実行する処理手順の一例を示すシーケンス図である。
【図９】広告配信サーバ、車載装置、乗員端末、店舗端末、広告主サーバが実行する処理手順の一例を示すシーケンス図である。
【図１０】Ｓ７の処理の詳細な一例を示すフローチャートである。
【発明を実施するための形態】
【０００８】
本実施の形態の第１の態様に係る広告配信システムは、自宅または居住地から目的地までの距離が所定値以上の車両に対して、車両に乗車する車両乗員の属性に応じ、且つ、距離に比例する割引率を備えた特典情報を、目的地周辺の店舗または施設の第１広告とともに配信することと、目的地周辺の店舗または施設への車両乗員による特典情報の提示により、車両乗員の自宅または居住地に関する情報を登録することと、登録された自宅または居住地の属する地域からの来訪を示す来訪情報を目的地周辺の店舗または施設の第２広告に提示することと、を実行する制御部を備える。
【０００９】
このような態様によれば、広告配信システムは、ユーザの属性に応じ、且つ、距離に比例する割引率を備えた目的地周辺の店舗・施設等の特典情報が、自宅（あるいは居住地）からの距離が所定値以上のユーザに提供できる。また、広告配信システムは、ユーザの自宅（あるいは居住地）の属する地域からの来訪を示す来訪情報を、プレミアム感を持たせた表示態様で目的地周辺の店舗・施設等のウェブページに表示させることが可能になる。
【００１０】
以下、図面を参照して、一実施の形態を説明する。以下の実施形態の構成は例示であり、発明を実施するための態様は、以下に説明する実施形態の構成には限定されない。
【００１１】
＜第１実施形態＞
（システム概要）
図１は、第１実施形態に係る広告配信システム１のシステム構成の一例を示す図である。図１の広告配信システム１は、目的地が設定された移動に関し、目的地周辺地域の店舗または施設に対する訪問価値を高めてより遠方の地域への移動を促す広告情報を配信可能にするシステムである。本実施形態の広告情報には、店舗や施設等の広告主が提供する静止画像や動画像（映像）、メッセージ情報等の広告コンテンツの広告データが含まれる。また、広告情報には、上記店舗や施設等の利用にあたり、広告主等から提供されるクーポンやポイント、割引きといった特典情報を紹介する紹介情報が含まれる。
【００１２】
本実施形態に係る広告配信システム１は、ネットワークＮ１によって相互に接続される広告配信サーバ１０と、車両Ｖ１に搭載される車載装置２０と、乗員端末３０と、店舗端末４０と、広告主サーバ５０と、を含んで構成される。ネットワークＮ１は、例えば、インターネット等の公衆ネットワークである。但し、ネットワークＮ１は、ＷｉＦｉ等の無線通信、ＬＴＥ、ＬＴＥ−Ａｄｖａｎｃｅｄ、３Ｇ等の携帯電話網の無線ネットワーク、ＶＰＮ（Virtual Private Network）等の専用ネットワーク、ＬＡＮ（Local Area Network）等のネットワークを含んでもよい。
【００１３】
また、車載装置２０と乗員端末３０、乗員端末３０と店舗端末４０は、ネットワークＮ２を通じて直接に通信可能である。ネットワークＮ２は、例えば、ブルートゥース（Bluetooth（登録商標））やＮＦＣ（Near Field Communication）、ＵＷＢ（Ultra-Wideband
）、ＷｉＦｉ（登録商標）、ＢＬＥ（Bluetooth Low Energy）等を含む近距離無線ネットワークである。
【００１４】
なお、図１では、１台の広告配信サーバ１０、車載装置２０、乗員端末３０、店舗端末４０、広告主サーバ５０が代表的に例示される。ネットワークＮ１には、複数の広告配信サーバ１０、車載装置２０、乗員端末３０、店舗端末４０、広告主サーバ５０が接続され得る。
【００１５】
車載装置２０は、車両Ｖ１に搭載される情報処理装置である。車載装置２０には、当該車載装置を一意に識別する識別情報（装置ＩＤ）が予め付与される。本実施形態に係る車
載装置２０は、車両Ｖ１の搭乗者（以下、「ユーザ」とも称す）によって設定された移動に関する目的地等を示す情報を取得し、当該情報を広告配信サーバ１０に通知する。また、本実施形態に係る車載装置２０は、広告配信サーバ１０から配信された広告情報を車両Ｖ１の搭乗者に提示する。広告情報には、目的地周辺地域の店舗や施設等（以下、店舗等とも言う）の広告、当該店舗等を利用する際の特典（クーポン、ポイント、割引等）情報についての紹介情報が含まれる。車載装置２０は、自車両宛に配信された広告情報を取得し、当該広告情報をＬＣＤ（Liquid Crystal Display）等の表示デバイスに表示する。
【００１６】
なお、車載装置２０は、車両Ｖ１の位置情報（緯度、経度）、目的地に至る経路情報を取得し、当該情報を定期的、あるいは、広告配信サーバ１０からの要求に応じて広告配信サーバ１０に通知してもよい。位置情報、経路情報は、道路の識別情報（例えば、リンク番号）や交差点等の識別情報（例えば、ノード番号）を含んでもよい。車載装置２０は、例えば、車両Ｖ１に搭載されるナビゲーション装置や、ナビゲーション機能を有するオーディオ装置やドライブレコーダ等であってもよい。
【００１７】
乗員端末３０は、スマートフォン、携帯電話端末、タブレット端末、個人情報端末、ウェアラブルコンピュータ（スマートウォッチ等）等の小型なコンピュータである。但し、乗員端末３０は、車両Ｖ１に搭乗する搭乗者が携帯可能なＰＣ（Personal Computer）で
あってもよい。乗員端末３０には、当該乗員端末を一意に識別する識別情報（ユーザＩＤ）が予め付与される。
【００１８】
乗員端末３０には、広告情報で紹介される特典情報の提供を受けるためのアプリケーションプログラム（以下、「アプリ」とも称す）がインストールされている。車両Ｖ１に搭乗する搭乗者は、乗員端末３０に搭載されたアプリの実行を介し、車載装置２０に通知された紹介情報を取得する。紹介情報は、例えば、ネットワークＮ２を介して乗員端末３０に取得される。但し、乗員端末３０による紹介情報の取得は、車載装置２０の表示デバイスに表示された特典情報の詳細を示すコード情報（例えば、２次元コード）の読み取りを介して行われてもよい。
【００１９】
店舗端末４０は、目的地周辺地域の店舗や施設等に設けられたＰＣ、タブレット端末、スマートフォン、個人情報端末等のコンピュータである。店舗端末４０には、当該店舗端末を一意に識別する識別情報（店舗ＩＤ）が予め付与される。店舗端末４０は、ユーザによって提示された乗員端末３０から、当該乗員端末のメモリ等に保持された当該店舗等の利用に関する特典情報の読み取りを行う。乗員端末３０からの特典情報の読み取りは、当該乗員端末との間の近距離無線通信によるネットワークＮ２を通じて行われる。店舗端末４０で読取られ特典情報は、当該ユーザの店舗等の利用に反映される。なお、メモリ等に保持された特典情報は、例えば、店舗端末４０の読み取りを契機として消去される。
【００２０】
また、店舗端末４０は、当該店舗等に対するユーザの特典情報の利用が有ったときには、特典情報の使用が行われたことを示す情報を、広告配信サーバ１０に通知する。例えば、店舗端末４０は、特典情報が使用された日時を示す日時情報、当該特典情報の識別番号、ユーザＩＤ等を広告配信サーバ１０に通知する。以下では、店舗端末４０を介して特典情報の使用が行われたことを示す情報の通知が行われるものとして説明するが、当該通知はアプリを介した乗員端末３０から通知されてもよい。乗員端末３０は、店舗端末４０による、メモリ等に保持された特典情報の読み取りを検出し、当該検出を契機として特典情報の使用が行われたことを示す情報の通知を行えばよい。
【００２１】
広告主サーバ５０は、広告主である店舗や施設等が運営するサーバ装置である。広告主には、広告の配信を仲介する広告代理店等が含まれる。広告主サーバ５０を介して、広告主が配信を依頼する静止画像や動画像等で構成された広告コンテンツの電子的な広告デー
タ、店舗等を利用する際の特典（クーポン、ポイント、割引等）情報が広告配信サーバ１０に登録される。また、広告主サーバ５０を介して、店舗等が取り扱う商品やサービス等を紹介するためのウェブページがインターネット等に提供される。なお、以下では、広告主サーバ５０が店舗等のウェブページを管理するとして説明するが、当該ウェブページは、広告配信サーバ１０あるいは広告配信サーバ１０と連携するコンピュータが提供してもよい。また、店舗等が契約するサービスプロバイダ等のサーバを介して提供されてもよい。
【００２２】
本実施形態に係る広告配信サーバ１０は、車載装置２０に配信される広告情報を管理するサーバである。広告情報は、当該情報を一意に識別する識別情報（広告ＩＤ）が付与されて管理される。広告配信サーバ１０は、車載装置２０を介して車両Ｖ１の搭乗者（ユーザ）に提示される広告コンテンツおよび特典情報と、当該ユーザに関する情報をデータベースに保持する。広告配信サーバ１０は、車両Ｖ１の移動の際に設定された目的地に応じて、当該目的地周辺地域の店舗等に関する１以上の広告情報を選定し、当該広告情報を車両Ｖ１に配信する。車載装置２０に配信された広告情報を閲覧したユーザは、利用対象の店舗等に関する特典情報を、広告配信サーバ１０を通じて取得する。
【００２３】
本実施形態に係る広告配信サーバ１０は、例えば、ユーザの自宅（あるいは居住地）から、利用対象になる店舗等への距離に応じた特典情報を当該ユーザに付与する。例えば、距離の長短に応じて割引率が増減する割引特典や、付与値が増減するポイント、適用されるサービス範囲が増減するクーポンといった特典情報が付与される。なお、広告配信サーバ１０は、ユーザの属性情報（例えば、趣味や年齢、性別等）を反映させて特典情報を付与してもよい。
【００２４】
そして、広告配信サーバ１０は、店舗端末４０から通知された特典情報の使用を示す情報に基づいて、特典情報を利用したユーザの来訪を示す来訪情報を生成する。来訪情報には、特典情報を利用したユーザの自宅や居住地に関する情報が含まれる。広告配信サーバ１０は、例えば、生成した来訪情報を広告主サーバ５０に配信する。広告主サーバ５０に配信されたユーザの来訪情報は、例えば、ＡＰＩ（Application Programming Interface
）を介して、インターネット等のＷｅｂ上に開設された店舗等のウェブページに表示される。
【００２５】
図２は、広告情報の配信を説明する図である。図２において、車載装置２０を搭載する車両Ｖ１は、実線矢印で示すように、地点Ａを出発地点として目的地点である地点Ｂに移動する。地点Ａには、例えば、車両Ｖ１に搭乗する搭乗者の自宅あるいは居住地が含まれる。車両Ｖ１を運転操作する搭乗者は、例えば、車載装置２０を操作し、移動に係る地点Ａおよび地点Ｂを設定する。車載装置２０は、設定された目的地を示す情報を取得し、自装置の装置ＩＤとともに広告配信サーバ１０に通知する。目的地を示す情報は、例えば、目的地の緯度、経度を示す位置情報として、目的地が設定されたタイミング、移動の開始のタイミング等で広告配信サーバ１０に通知される。
【００２６】
広告配信サーバ１０は、車載装置２０から通知された目的地の位置情報に基づいて、目的地周辺地域の店舗や施設等の広告コンテンツを選定し、当該広告コンテンツを車載装置２０に配信する。ここで、目的地周辺とは、例えば、目的地との間の距離が所定距離（例えば、２０ｋｍ）以内や、目的地と同じエリア（市区町村、地域メッシュ等）や当該エリアに隣接した遠方側（地点Ａからの距離が離れている）のエリアを言う。
【００２７】
また、広告配信サーバ１０は、当該店舗等が提供する特典情報（クーポン、ポイント、割引き等）の紹介情報を車載装置２０に配信する。図２においては、地点Ｂの周辺に存在する、破線枠で囲まれた領域Ｚ１内の「＊＊ピクニックガーデンＺ１ａ」、「＊＊水族館
Ｚ１ｂ」、「手打ち＊＊Ｚ１ｃ」、「＊＊ゴルフ場」を含む店舗等が選定される。そして、各店舗等の広告コンテンツとともに当該店舗等が提供する特典情報報を紹介する紹介情報が車載装置２０に配信される。
【００２８】
車載装置２０は、配信された目的地周辺地域の店舗や施設等の広告コンテンツおよび特典情報を紹介する紹介情報を表示デバイスに表示する。車両Ｖ１に搭乗するユーザは、例えば、運転席近傍や後部席等に設けられた表示デバイスに表示された広告コンテンツを閲覧し、利用対象の店舗等を特定する。乗員端末３０を操作するユーザは、例えば、近距離無線通信を介して車載装置２０と接続し、当該店舗等の特典情報を紹介する紹介情報を取得する。あるいは、乗員端末３０を操作し、表示デバイスに表示された特典情報の詳細を示すコード情報（例えば、２次元コード）の読み取りを行う。
【００２９】
そして、ユーザはアプリが実行された乗員端末３０を介し、当該店舗等が提供する特典情報を取得する。特典情報は、広告配信サーバ１０を通じて取得される。ユーザは、例えば、乗員端末３０の表示デバイスに表示された案内画面にしたがって取得した紹介情報や読み取られたコード情報にアクセスすると、当該特典情報の通知要求が広告配信サーバ１０に通知される。乗員端末３０は、当該店舗等の広告ＩＤおよびユーザＩＤとともに、特典情報の通知要求を広告配信サーバ１０に送信する。
【００３０】
広告配信サーバ１０は、乗員端末３０からの特典情報の通知要求に基づいて、ユーザに関する情報を特定する。広告配信サーバ１０は、例えば、ユーザの自宅あるいは居住地やユーザの属性情報を特定する。そして、広告配信サーバ１０は、特定されたユーザに関する情報に基づいて、当該ユーザに提供される特典情報の内容を決定する。例えば、ユーザの属性情報や店舗等への距離の長短に応じて割引率が増減する割引特典の付与が決定される。同様にして、ユーザの属性情報や店舗等への距離の長短に応じて付与値が増減するポイント値が決定される。さらに、ユーザの属性情報や店舗等への距離の長短に応じて適用されるサービス範囲（例えば、ドリンクの無料提供や季節ものの食材を使用した限定的なランチの優先的な提供）が可変するクーポンの付与が決定される。
【００３１】
広告配信サーバ１０は、ユーザに関する情報に応じて決定された特典情報の内容を乗員端末３０に通知すると、当該特典情報の内容は、表示デバイスを介してユーザに提示される。ユーザは、乗員端末３０の表示デバイスに表示された特典情報の内容を閲覧し、当該特典情報を使用した店舗等の利用の可否を決定する。アプリが実行された乗員端末３０は、案内画面にしたがって操作入力された、店舗等の利用の可否を示す情報を広告配信サーバ１０に通知する。当該店舗等の利用が肯定された場合には、識別番号が付与された、ユーザに提示された内容の特典情報が乗員端末３０に通知される。特典情報は、アプリを介し、当該特典情報が通知された日時情報とともに乗員端末３０のメモリ等に保持される。
【００３２】
特典情報を提供した店舗等では、店舗端末４０を介し、ユーザによって提示された乗員端末３０から、メモリ等に保持された特典情報の読み取りが行われる。特典情報の読み取りは、例えば、乗員端末３０と店舗端末４０との間の近距離無線通信を通じて行われる。店舗端末４０で読取られた特典情報に対応する内容は、当該ユーザの店舗等の利用に反映される。
【００３３】
店舗端末４０は、特典情報の使用が行われたことを示す情報を、広告配信サーバ１０に通知する。店舗端末４０は、例えば、特典情報が使用された日時を示す日時情報、当該特典情報の識別番号、ユーザＩＤ、乗員端末３０が特典情報を取得した日時情報等を店舗ＩＤとともに広告配信サーバ１０に通知する。
【００３４】
広告配信サーバ１０は、店舗端末４０から通知された特典情報の使用を示す情報に基づ
いて、特典情報を利用したユーザの来訪を示す来訪情報を生成する。当該ユーザの来訪情報は、ネットワークＮ１を通じて広告主サーバ５０に配信される。
【００３５】
広告主サーバ５０は、配信されたユーザの来訪情報を、ＡＰＩ等を介して、Ｗｅｂ上に開設された店舗等のウェブページに表示する。例えば、店舗等を紹介するトップページの上部領域に、ユーザの自宅や居住地の属する地域を示す情報「東京都新宿」等を用いて、「新着//東京都新宿から、わざわざ、ＸＸ名様のお客様に来ていただきました」といった来訪情報を表示させる。表示の態様は、静的であってもよく、動的であってもよい。少なくとも、ウェブページを閲覧した閲覧者に、当該店舗等への来訪に関してプレミアム感を持たせる表示態様であればよい。
【００３６】
（ハードウェア構成）
図３は、広告配信サーバ１０、車両Ｖ１に搭載される車載装置２０、乗員端末３０の各ハードウェア構成の一例を示す図である。図３においては、店舗端末４０は乗員端末３０と、広告主サーバ５０は広告配信サーバ１０と同様のハードウェア構成を有するため省略されている。
【００３７】
広告配信サーバ１０は、バスによって相互に接続されたプロセッサ１０１、主記憶部１０２、補助記憶部１０３、通信部１０４を構成要素に備える。主記憶部１０２および補助記憶部１０３は、広告配信サーバ１０が読み取り可能な記録媒体である。上記の構成要素はそれぞれ複数に設けられてもよいし、一部の構成要素を設けないようにしてもよい。広告配信サーバ１０のプロセッサ１０１は、「制御部」の一例である。
【００３８】
プロセッサ１０１は、例えば、ＣＰＵ（Central Processing Unit）である。プロセッ
サ１０１は、主記憶部１０２の作業領域に実行可能に展開されたコンピュータプログラムを実行し、広告配信サーバ１０全体の制御を行う。プロセッサ１０１は、コンピュータプログラムの実行を通じて周辺機器の制御を行うことで所定の目的に合致した機能を提供する。なお、広告配信サーバ１０の提供する処理機能の一部が、ＤＳＰ（Digital Signal Processor）、ＡＳＩＣ（Application Specific Integrated Circuit）、ＧＰＵ（Graphics Processing Unit）等によって提供されてもよい。また、処理機能の少なくとも一部が
、ＦＰＧＡ（Field-Programmable Gate Array）、数値演算プロセッサ、画像処理プロセ
ッサ等の専用ＬＳＩ（large scale integration）、その他のディジタル回路、アナログ
回路であってもよい。
【００３９】
主記憶部１０２は、プロセッサ１０１が実行するコンピュータプログラム、プロセッサ１０１が処理するデータ等を記憶する。主記憶部１０２は、例えば、フラッシュメモリ、ＲＡＭ（Random Access Memory）やＲＯＭ（Read Only Memory）等である。補助記憶部１０３は、ＯＳ（Operating System）を含む各種のプログラムおよび各種のデータを読み書き自在に記録媒体に格納する不揮発性の記憶装置である。補助記憶部１０３は、例えば、フラッシュメモリ、ハードディスクドライブ（ＨＤＤ、Hard Disk Drive）、ＳＳＤ（Solid State Drive）等である。なお、ＯＳは、通信部１０４を介して接続される外部装置等とのデータの受け渡しを行う通信インターフェースプログラムを含む。
【００４０】
通信部１０４は、ネットワークＮ１とのインタフェースである。通信部１０４は、例えば、ＬＡＮ（Local Area Network）インターフェースボード、無線通信のための無線通信回路を含む。
【００４１】
広告配信サーバ１０のハードウェア構成は、図３に示されるものに限定されない。広告配信サーバ１０は、例えば、可搬記録媒体に記録されたプログラムを読み込み、主記憶部１０２に展開し、実行することができる。可搬記録媒体は、例えば、ＵＳＢ（Universal 
Serial Bus）メモリ、ＣＤ（Compact Disc）、ＤＶＤ（Digital Versatile Disc）、Ｂｌｕ−ｒａｙ（登録商標）ディスクのようなディスク記録媒体である。
【００４２】
車載装置２０は、プロセッサ２０１と、主記憶部２０２と、補助記憶部２０３と、表示部２０４と、入力部２０５と、通信部２０６Ａと、通信部２０６Ｂと、ナビゲーション部２０７を有する。プロセッサ２０１、主記憶部２０２、補助記憶部２０３、通信部２０６Ａについては、広告配信サーバ１０のプロセッサ１０１、主記憶部１０２、補助記憶部１０３、通信部１０４と同様であるため、説明は省略される。上記の構成要素はそれぞれ複数に設けられてもよいし、一部の構成要素を設けないようにしてもよい。
【００４３】
表示部２０４は、例えば、ＬＣＤ、ＥＬ（Electroluminescence）パネル等の表示デバ
イスである。但し、表示部２０４には、音声案内やメッセージ等を報知するためのスピーカが設けられてもよい。入力部２０５は、例えば、文字等の記号を入力可能なタッチパネルや押しボタン、音声を入力可能なマイクロフォン、動画像や静止画像を撮像可能なカメラ等を含む。通信部２０６Ｂは、例えば、ブルートゥースやＮＦＣ、ＢＬＥ等の近距離無線通信に対応する通信回路である。
【００４４】
ナビゲーション部２０７は、ＧＰＳ（Global Positioning Satellite）モジュールを介して検出された自車両の位置情報（緯度、経度）に基づいて、入力部２０５を介して操作入力された目的地までの経路案内を行う。目的地までの経路は、補助記憶部２０３に格納された地図データを参照して設定される。ナビゲーション部２０７は、表示部２０４を介して表示された地図上に、検出された自車両の位置や目的地までの経路を重畳させて表示したり、交差点等では音声等を介して右左折等の進行方向案内を行うことで、目的地までの経路案内を提供する。
【００４５】
乗員端末３０は、プロセッサ３０１と、主記憶部３０２と、補助記憶部３０３と、表示部３０４と、入力部３０５と、通信部３０６Ａと、通信部３０６Ｂを有する。プロセッサ３０１、主記憶部３０２、補助記憶部３０３、通信部３０６Ａについては、広告配信サーバ１０のプロセッサ１０１、主記憶部１０２、補助記憶部１０３、通信部１０４と同様であるため、説明は省略される。また、表示部３０４、入力部３０５、通信部３０６Ｂについては、車載装置２０の表示部２０４、入力部２０５、通信部２０６Ｂと同様であるため、説明は省略される。上記の構成要素はそれぞれ複数に設けられてもよいし、一部の構成要素を設けないようにしてもよい。なお、乗員端末３０の補助記憶部３０３には、広告情報で紹介される特典情報の提供を受けるためのアプリが格納される。
【００４６】
（機能構成）
図４は、広告配信サーバ１０の機能構成の一例を示す図である。広告配信サーバ１０は、機能構成要素として、車両情報取得部１１、広告配信部１２、特典利用管理部１３、ユーザ情報データベース（ＤＢ）１４、広告情報ＤＢ１５、利用履歴ＤＢ１６、地図情報ＤＢ１７を含む。これらの機能構成要素は、例えば、広告配信サーバ１０のプロセッサ１０１が、補助記憶部１０３に記憶された各種プログラムを実行することで提供される機能構成要素である。但し、各機能構成素のいずれか、またはその処理の一部がハードウェア回路により実行されてもよい。また、各機能構成素のいずれか、またはその処理の一部がネットワークＮ１に接続された他のコンピュータにより実行されてもよい。
【００４７】
車両情報取得部１１は、車両Ｖ１に搭載された車載装置２０から送信された目的地の位置情報を取得する。車両情報取得部１１は、車載装置２０から送信された目的地の位置情報を、当該車載装置の装置ＩＤ、取得した時刻情報と関連付けて広告配信部１２に引き渡す。
【００４８】
広告配信部１２は、引き渡された目的地の位置情報、時刻情報に基づいて、車載装置２０に配信する広告情報を特定する。広告情報の特定は、広告情報ＤＢ１５を参照して行われる。広告配信部１２は、広告情報ＤＢ１５から特定された広告情報を車載装置２０に送信する。
【００４９】
広告情報ＤＢ１５は、車載装置２０に配信される広告情報を管理する。広告配信サーバ１０は、広告主サーバ５０を介して広告情報に関するデータを受け付け、広告情報ＤＢ１５に登録する。
【００５０】
図５は、広告情報ＤＢ１５に格納される広告情報の一例を示す図である。広告情報は、図５に例示のように、広告情報テーブルとして管理される。広告情報テーブルに登録される情報は、適宜にフィールドの追加、変更、削除が可能である。
【００５１】
図５に例示の広告情報テーブルは、店舗ＩＤ、広告ＩＤ、領域ＩＤ、ジャンル、表示期間、時間帯、種別、広告データ、特典内容・条件・識別番号、店舗住所、ＵＲＩ（Uniform Resource Identifier）の各フィールドを有する。店舗ＩＤには、広告コンテンツの宣
伝対象になる店舗や施設を識別する識別情報（店舗ＩＤ）が格納される。広告ＩＤには、広告主サーバ５０を通じて受け付けた広告情報を識別する識別情報（広告ＩＤ）が格納される。領域ＩＤには、広告情報を提供する店舗等の属する領域を示す情報（領域ＩＤ）が格納される。表示期間には、広告情報を配信する期間を示す情報が格納される。時間帯には、広告情報を配信する時間帯を示す情報が格納される。種別には、広告コンテンツの表示形態を示す情報が格納される。広告コンテンツの表示形態として、静止画像、スライド所、動画像等が例示される。
【００５２】
図５の例では、店舗ＩＤ「Ｓ２０１１」の、表示期間「２０１８／０７／０１−２０１８／０８／３１」において、時間帯「１１：００−１４：００」で配信される、種別「静止画」の広告ＩＤ「Ｔ００１ａ」が例示されている。また、時間帯「１４：００−１７：００」で配信される、種別「スライドショー」の広告ＩＤ「Ｔ００１ｂ」、時間帯「１７：００−１９：００」で配信される、種別「動画」の広告ＩＤ「Ｔ００１ｃ」が例示されている。
【００５３】
広告データには、広告コンテンツのデータが格納される。但し、広告データに格納される情報は、他のテーブル等に格納された広告データを示す識別番号であってもよい。特典内容・条件・識別番号には、店舗等がユーザの属性情報や、自宅あるいは居住地からの距離に応じて提供される特典情報が格納される。図５の例では、特典内容としてクーポン、割引率、ポイントの各サブフィールドが例示される。なお、各サブフィールドに例示の特典内容が存在しないときには、当該特典が存在しないことを示す情報（例えば、「---」
や空欄等）が格納される。
【００５４】
クーポンには、特典情報としてユーザに提供されるクーポン内容が、提供条件、識別番号とともに格納される。割引率には店舗等を利用した際の料金に対する割引率が、提供条件、識別番号とともに格納される。ポイントには、店舗等を利用した際に付与されるポイントが、提供条件、識別番号とともに格納される。提供条件には、特典情報を利用するユーザの属性情報、ユーザの住所・居住所から当該店舗までの距離等が含まれる。
【００５５】
図５の例では、店舗ＩＤ「Ｓ２０１１」は、特典内容として「クーポン」、「割引率」、「ポイント」の提供を例示する。特典内容「クーポン」において、識別番号「Ｘ１０１」のドリンクの無料提供では、全てのユーザを対象として提供される特典情報が例示されている。また、識別番号「Ｘ１０２」の土産品では、「家族」による利用を対象として提供される特典情報が例示されている。
【００５６】
同様にして、特典内容「割引率」では、割引率の上限を「５０％」として、距離「ＡＡｋｍ以上」のユーザに対し、距離に比例して、単位距離（１０ｋｍ）当たり「３％」の割引を提供する識別番号「Ｘ１０３」の特典情報が例示されている。特典内容「ポイント」では、距離「ＢＢｋｍ以上」のユーザに対して、「２０％増」のポイントを提供する識別番号「Ｘ１０４」の特典情報が例示されている。なお、ポイント値は、例えば、自宅等から店舗等までの距離値を１ｋｍといった単位距離で換算した値に応じて求められる。
【００５７】
なお、上記した「クーポン」、「割引率」、「ポイント」の各特典内容には、当該特典情報の使用期限等が含まれてもよい。また、距離に比例する割引率は、複数段階に設定されてもよい。例えば、距離ＡＡから距離ＣＣまでは、「２％／１０ｋｍ」とし、距離ＣＣ以上では「３％／５ｋｍ」とする割引率が例示できる。
【００５８】
店舗住所には、店舗等の所在地を示す情報（住所、位置情報（緯度、経度）等）が格納される。ＵＲＬには、店舗等が取り扱う商品やサービス等を紹介するためのウェブページのアドレスを示す情報が格納される。
【００５９】
広告配信部１２は、目的地の位置情報が示す領域に対応した店舗等の広告ＩＤ、広告データとともに、特典内容／条件／識別番号に格納された情報を紹介情報として車載装置２０に配信する。例えば、店舗ＩＤ「Ｓ２０１１」では、「クーポン提供：ドリンクサービス＆お土産（ご家族でのご利用時）」、「遠方（ＡＡｋｍ以上）からのご利用時には、さらに上限５０％の割引き提供」等の紹介情報が配信される。
【００６０】
また、広告配信部１２は、アプリが実行された乗員端末３０から送信された特典情報の通知要求に基づいて、当該乗員端末を操作するユーザに応じた特典内容を特定する。特典情報の通知要求には、ユーザＩＤ、広告ＩＤが含まれる。広告配信部１２は、例えば、ユーザ情報ＤＢ１４を参照し、通知要求に含まれるユーザＩＤに基づいて乗員端末３０を介して特典情報の通知要求を行ったユーザに関する情報を特定する。そして、広告配信部１２は、特定されたユーザに関する情報に基づいて、当該ユーザに提供される特典の内容を決定する。
【００６１】
図６は、ユーザ情報ＤＢ１４に格納されるユーザ情報の一例を示す図である。ユーザ情報は、図６に例示のように、ユーザ情報テーブルとして管理される。ユーザ情報テーブルに登録される情報は、適宜にフィールドの追加、変更、削除が可能である。
【００６２】
図６に例示のユーザ情報テーブルは、ユーザＩＤ、住所ｏｒ居住所、性別、年齢、職業、家族構成、趣味・興味、端末ＩＤ、総ポイントの各フィールドを含んで構成される。ユーザＩＤには、ユーザを一意に識別する識別情報（ユーザＩＤ）が格納される。ユーザＩＤは、広告配信システム１への登録時にアプリがダウンロードされた乗員端末３０を識別する識別情報（端末ＩＤ）と対応付けられて登録される。住所ｏｒ居住所には、ユーザの生活拠点になる住所や居住所を示す情報（住所、位置情報（緯度、経度）等）が格納される。ユーザの住所等に対応する位置情報、例えば、地図情報ＤＢ１７に格納された地図データに基づいて特定される。
【００６３】
性別には、ユーザの性別を示す情報（例えば、Ｍ：男性、Ｆ：女性）が格納される。年齢には、ユーザの年齢（年代）を示す情報が格納される。職業には、ユーザの職業を示す情報が格納される。なお、職業には、業種や職種を示す情報が含まれてもよい。家族構成には、ユーザの家族構成を示す情報（人数等）が格納される。
【００６４】
趣味・興味には、ユーザの趣味や興味のある関心事を示す情報が格納される。当該フィ
ールドに格納される情報は複数の登録が可能であり、図６の例では３つの趣味・興味を示す情報が例示されている。例えば、年齢「４０代」の男性であるユーザＩＤ「Ｕ１００１１」では、「釣り」、「温泉」、「動物観賞」が格納され、年齢「３０代」の女性であるユーザＩＤ「Ｕ１００１２」では、「旅行」、「食べ歩き」、「カメラ」が格納されている。端末ＩＤには、乗員端末３０を一意に識別する識別情報(端末ＩＤ)が格納される。なお、端末ＩＤは、乗員端末３０の電話番号、ＩＰアドレス、ＭＡＣアドレス（Media Access Control address）を含んでもよい。総ポイントには、店舗等の利用の際に特典情報として付与されたポイントの総計を示す情報が格納される。
【００６５】
広告配信部１２は、ユーザ情報テーブルに格納されたユーザの住所あるいは居住所、ユーザの属性情報（性別、年齢、職業、家族構成、趣味・興味等）に応じて、通知要求された店舗等が提供する特典内容を決定する。
【００６６】
例えば、図５の店舗ＩＤ「Ｓ２０１１」では、店舗ＩＤのレコードに格納された当該店舗等の住所を示す情報と、ユーザの住所あるいは居住所を示す情報から、当該店舗等までの距離が求められる。そして、求められた距離値に応じて、ユーザに提供する割引率やポイントといった特典情報が決定される。また、ユーザの属性情報に対応してクーポンとして提供されるサービス内容が決定される。例えば、図６のユーザＩＤ「Ｕ１００１１」の家族構成が複数人である場合には、ドリンクサービスと土産品が提供されるクーポンが決定される。決定された特典内容は、特典情報として乗員端末３０に通知される。
【００６７】
広告配信部１２は、乗員端末３０からの、ユーザＩＤ、広告ＩＤを含む店舗等の利用を肯定する通知に基づいて、当該乗員端末を操作するユーザ応じた特典情報の識別番号を特定する。識別番号が付与された特典情報は、当該乗員端末に配信される。
【００６８】
図４に戻り、特典利用管理部１３は、乗員端末３０に配信された特典情報の利用状態を管理する。特典利用管理部１３は、特典情報が利用された店舗端末４０から通知された、特典情報の使用が行われたことを示す情報を取得する。特典利用管理部１３は、取得した特典情報の使用が行われたことを示す情報を利用履歴ＤＢ１６に登録する。
【００６９】
図７は、利用履歴ＤＢ１６に格納される利用履歴の一例を示す図である。特典情報の利用履歴は、店舗毎の利用履歴テーブルとして管理される。利用履歴テーブルに登録される情報は、適宜にフィールドの追加、変更、削除が可能である。
【００７０】
図７に例示の利用履歴テーブルは、利用日時、ユーザＩＤ、ユーザ地域、特典番号、広告ＩＤ、配信日時の各フィールドを有する。利用日時には、特典情報が使用された日時を示す情報が格納される。ユーザＩＤには、特典情報を使用したユーザの識別情報（ユーザＩＤ）が格納される。ユーザ地域には、当該店舗を来訪したユーザの住所や居住地が属する地域を示す情報（例えば、都道府県名、市区名等）が格納される。当該情報は、ユーザ情報ＤＢ１４を参照して特定される。特典番号には、特典情報に付与された識別番号を示す情報が格納される。広告ＩＤには、特典情報が付与された広告情報の識別情報（広告ＩＤ）が格納される。配信日時には、特典情報が乗員端末３０に通知された日時を示す情報が格納される。
【００７１】
また、特典利用管理部１３は、店舗端末４０から通知された特典情報の使用を示す情報に基づいて、特典情報を利用したユーザの来訪を示す来訪情報を生成する。生成された来訪情報は、広告主サーバ５０が管理する店舗等のＷｅｂ上に開設するウェブページに表示される。店舗等が開設するウェブページには、ユーザ地域に登録された情報「神奈川県横浜市」等を用いて、「新着//神奈川県横浜市から、わざわざ、ＸＸ名様のお客様に来ていただきました」といった来訪情報が表示される。
【００７２】
地図情報ＤＢ１７には、地物位置を含む地図データ、当該地図データ上の各地点の特性を示す文字や写真等のＰＯＩ（Point of interest）情報を含む地図情報が格納される。
なお、地図情報ＤＢ１７は、ネットワークＮ１に接続される他のシステム、例えば、ＧＩＳ（Geographic Information System）から提供されてもよい。
【００７３】
（処理の流れ）
次に、図８から図１０を参照して、本実施形態に係る広告配信システム１の処理を説明する。図８から図９は、広告配信サーバ１０、車載装置２０、乗員端末３０、店舗端末４０、広告主サーバ５０が実行する処理手順の一例を示すシーケンス図である。
【００７４】
図８において、車両Ｖ１に搭載された車載装置２０は、搭乗員（ユーザ）によって設定された目的地を示す情報を取得し、広告配信サーバ１０に送信する（Ｓ１）。広告配信サーバ１０は、広告情報ＤＢ１５を参照し、目的地周辺の店舗・施設等を選定する（Ｓ２）。Ｓ２の処理により、例えば、目的地との間の距離が所定距離（例えば、２０ｋｍ）以内や、目的地と同じエリア（市区町村、地域メッシュ等）や当該エリアに隣接した遠方側（地点Ａからの距離が離れている）のエリアに位置する店舗・施設等が特定される。
【００７５】
広告配信サーバ１０は、選定された店舗・施設等の広告情報を車載装置２０に配信する（Ｓ３）。現在の日時が表示期間に該当する店舗・施設等の広告情報が車載装置２０に配信される。なお、広告情報には、店舗・施設等の広告に関する情報（広告ＩＤ、時間帯、店舗ＩＤ、広告データ等）、特典を紹介する紹介情報が含まれる。車載装置２０は、配信された広告情報を取得し、主記憶部２０２の所定の領域に一時的に記憶する。そして車載装置２０は、取得した広告情報を表示部２０４に表示させる（Ｓ４）。
【００７６】
車載装置２０の表示部２０４に表示された広告情報を閲覧した搭乗員は、アプリが実行された乗員端末３０を操作し、特典に関する紹介情報を取得する（Ｓ５）。表示部２０４に表示された紹介情報は、例えば、車載装置２０と乗員端末３０との間の近距離無線通信を通じて取得される。
【００７７】
搭乗員は、アプリが実行された乗員端末３０の案内画面にしたがって車載装置２０から取得した紹介情報にアクセスする。乗員端末３０は、ユーザのアクセス操作にしたがって、特典情報の通知要求を広告配信サーバ１０に送信する（Ｓ６）。通知要求には、広告ＩＤ、店舗ＩＤ、ユーザＩＤが含まれる。広告配信サーバ１０は、特典情報の通知要求に基づいて、乗員端末３０を操作するユーザに応じた特典内容の決定を行う（Ｓ７）。Ｓ７の処理後、図９のＳ８の処理に移行する。
【００７８】
図１０は、Ｓ７の処理の詳細な一例を示すフローチャートである。図１０において、広告配信サーバ１０は、通知要求に含まれるユーザＩＤに基づいてユーザ情報ＤＢ１４を検索し、ユーザ情報を特定する（Ｓ２１）。ユーザ情報ＤＢ１４に登録されたデータの中から、ユーザＩＤに対応するレコードが特定される。広告配信サーバ１０は、ユーザＩＤのレコードから、住所・居住所を示す情報、ユーザの属性情報（性別、年齢、職業、家族構成、趣味・興味等）を取得する（Ｓ２２）。広告配信サーバ１０は、取得した上記情報を主記憶部１０２の所定の領域に一時的に記憶し、Ｓ２３の処理に移行する。
【００７９】
Ｓ２３の処理では、店舗・施設との間の距離が算出される。広告配信サーバ１０は、通知要求に含まれる店舗ＩＤに基づいて、広告情報ＤＢ１５を検索し、当該店舗等の所在地を示す情報を取得する。そして、広告配信サーバ１０は、取得した店舗等の所在地を示す情報とユーザの住所・居住所を示す情報とから、上記店舗・施設との間の距離を算出する。算出された距離は、Ｓ２４の処理に引き渡される。
【００８０】
Ｓ２４の処理では、距離に応じた特典が有るかが判断される。広告配信サーバ１０は、例えば、当該店舗ＩＤの特典内容・条件・識別番号フィールドに格納された特典情報を取得する。そして、算出された距離に該当する特典情報が有るかを判断する。例えば、図５の店舗ＩＤ「Ｓ２０１１」において、距離がＡＡｋｍ未満のときには、該当する割引率の特典情報は存在しないと判断される。また、距離がＡＡｋｍ以上のときには、該当する割引率の特典情報は存在すると判断される。
【００８１】
広告配信サーバ１０は、距離に応じた特典情報が有る場合には（Ｓ２４、“Ｙｅｓ”）、Ｓ２５の処理に移行する。一方、広告配信サーバ１０は、距離に応じた特典情報が存在しない場合には（Ｓ２４、“Ｎｏ”）、Ｓ２６の処理に移行する。
【００８２】
Ｓ２５の処理では、距離に応じた特典情報の内容が取得される。広告配信サーバ１０は、取得した特典情報の内容を図９のＳ８の処理に引き渡す。Ｓ２５の処理により、例えば、距離が所定値以上であり、距離に比例する割引率を備えた特典情報がＳ８の処理に引き渡される。
【００８３】
Ｓ２６の処理では、ユーザの属性情報に応じた特典が有るかが判断される。広告配信サーバ１０は、Ｓ２４の処理と同様にして、ユーザの属性情報に該当する特典情報が有るかを判断する。例えば、図５の店舗ＩＤ「Ｓ２０１１」においては、ユーザの家族構成が土産品を提供するクーポンの条件に該当するときには、該当するクーポンの特典情報は存在すると判断される。また、ユーザの家族構成が土産品を提供するクーポンの条件に該当しないときには、該当するクーポンの特典情報は存在しないと判断される。
【００８４】
広告配信サーバ１０は、ユーザの属性情報に応じた特典情報が有る場合には（Ｓ２６、“Ｙｅｓ”）Ｓ２７の処理に移行し、ユーザの属性情報に応じた特典情報が存在しない場合には（Ｓ２４、“Ｎｏ”）Ｓ２８の処理に移行する。
【００８５】
Ｓ２７の処理では、ユーザの属性情報に応じた特典情報の内容が取得される。取得された特典情報の内容は、図９のＳ８の処理に引き渡される。Ｓ２８の処理では、該当する特典情報は存在しないことが決定される。広告配信サーバ１０は、該当する特典情報は存在しないことを示す情報を図９のＳ８の処理に引き渡す。
【００８６】
図９のＳ８の処理において、広告配信サーバ１０は、Ｓ７の処理から引き渡された特典情報の内容を乗員端末３０に通知する。例えば、ユーザの属性情報や店舗等への距離の長短に応じて割引率が増減する割引特典の内容が特典情報として通知される。同様にして、ユーザの属性情報や店舗等への距離の長短に応じて付与値が増減するポイント特典の内容が特典情報として通知される。さらに、ユーザの属性情報や店舗等への距離の長短に応じて適用されるサービス範囲（例えば、ドリンクの無料提供や土産品の提供）が可変するクーポン特典の内容が特典情報として通知される。
【００８７】
乗員端末３０を操作するユーザは、アプリを介して表示部３０４に表示された特典情報の内容を閲覧し、当該店舗・施設の利用を決定する。乗員端末３０は、案内画面にしたがって操作入力された当該店舗・施設の特典情報についての配信要求を広告配信サーバ１０に送信する（Ｓ９）。
【００８８】
広告配信サーバ１０は、配信要求された特典情報に識別番号（特典番号）を付与し、乗員端末３０に配信する（Ｓ１０）。乗員端末３０は、アプリを介し、識別番号が付与された特典情報を補助記憶部３０３に格納する。識別番号が付与された特典情報は、例えば、広告ＩＤ、店舗ＩＤ、識別番号、特典情報が通知された日時情報とともに乗員端末３０の
補助記憶部３０３に保持される。乗員端末３０に保持された特典情報は、当該店舗・施設の利用の際に店舗端末４０に提示される（Ｓ１１）。なお、特典情報の使用時期は当該特典情報が配信された移動の機会であってもよく、後日の機会であってもよい。また、店舗・施設への訪問は、車両Ｖ１を使用した移動でなくともよい。ユーザは特典情報が保持された乗員端末３０を携帯し、他の移動手段（例えば、列車やバス等）を用いて移動して、店舗・施設等を利用してもよい。
【００８９】
店舗端末４０は、特典情報を用いた当該店舗・施設等の利用があったときには、特典情報の使用が行われたことを示す情報を、広告配信サーバ１０に通知する（Ｓ１２）。店舗端末４０は、例えば、特典情報が使用された日時を示す日時情報、当該特典情報の識別番号、ユーザＩＤ、乗員端末３０が特典情報を取得した日時情報等を店舗ＩＤとともに広告配信サーバ１０に通知する。
【００９０】
広告配信サーバ１０は、店舗端末４０から通知された特典情報の使用を示す情報の通知があったときには、ユーザの店舗・施設等への訪問を利用履歴ＤＢ１６に登録する（Ｓ１３）。図７を用いて説明したように、当該店舗を来訪したユーザの住所や居住地が属する地域を示す情報（例えば、都道府県名、市区名等）が店舗毎の利用履歴テーブルに登録される。
【００９１】
広告配信サーバ１０は、店舗端末４０から通知された特典情報の使用を示す情報に基づいて、特典情報を利用したユーザの来訪を示す来訪情報を生成する。生成された来訪情報は、例えば、店舗・施設等のウェブページを管理する広告主サーバ５０に配信される（Ｓ１４）。
【００９２】
広告主サーバ５０は、例えば、配信されたユーザの来訪情報を、ＡＰＩ等を介して、Ｗｅｂ上に開設された店舗等のウェブページに表示する（Ｓ１５）。店舗等のウェブページでは、例えば、ユーザの自宅や居住地の属する地域を示す情報「神奈川県横浜市」等を用いた、「新着//神奈川県横浜市から、わざわざ、ＸＸ名様のお客様に来ていただきました」といった来訪情報が表示される。表示の態様は、静的であってもよく、動的であってもよい。少なくとも、ウェブページを閲覧した閲覧者に、当該店舗等への来訪に関してプレミアム感を持たせる表示態様であればよい。
【００９３】
以上の処理により、車両Ｖ１に搭載された車載装置２０は、搭乗員（ユーザ）によって設定された目的地を示す情報を取得し、広告配信サーバ１０に送信できる。広告配信サーバ１０は、目的を示す情報に基づいて、目的地との間の距離が所定距離以内や、目的地と同じエリアや当該エリアに隣接した遠方側のエリアに位置する、目的地周辺の店舗・施設等が選定できる。そして、広告配信サーバ１０は、選定された店舗・施設等の広告情報（広告データ、特典情報を紹介する紹介情報）を車載装置２０に配信できる。車載装置２０は、配信された広告情報を表示部２０４に表示させることで、車両Ｖ１に搭乗するユーザに提示できる。
【００９４】
ユーザは、例えば、アプリが実行された乗員端末３０を介して紹介情報にアクセスすると、広告配信サーバ１０は、ユーザに関する情報に応じて特典情報の内容を決定し、乗員端末３０に通知できる。例えば、ユーザの自宅（あるいは居住地）から、利用対象になる店舗等への距離が所定値以上の場合には、距離に比例して割引率が増減する割引特典や、距離の長短に応じて付与値が増減するポイント特典、適用されるサービス範囲が可変するクーポン特典等を通知できる。また、ユーザの属性情報（性別、年齢、職業、家族構成、趣味・興味等）を、上記特典内容に反映できる。本実施形態に係る広告配信システム１によれば、ユーザの属性に応じ、且つ、距離に比例する割引率を備えた目的地周辺の店舗・施設等の特典情報が、自宅（あるいは居住地）からの距離が所定値以上のユーザに提供で
きる。
【００９５】
また、広告配信サーバ１０は、特典情報の提示を受けた店舗端末４０を介し、当該特典情報の使用が行われたことを示す情報を取得できる。広告配信サーバ１０は、特典情報の使用が行われたことを示す情報を、当該特典情報を使用したユーザのユーザＩＤに関連付けて利用履歴ＤＢ１６に登録できる。広告配信サーバ１０は、利用履歴ＤＢ１６に登録された情報に基づいて、特典情報が使用された店舗・施設等へのユーザの自宅（あるいは居住地）の属する地域からの来訪を示す来訪情報が生成できる。そして、広告配信サーバ１０は、生成されたユーザの店舗・施設等への来訪情報を、当該店舗・施設等のウェブページを管理する広告主サーバ５０に配信できる。この結果、本実施形態に係る広告配信システム１は、ユーザの自宅（あるいは居住地）の属する地域からの来訪を示す来訪情報を、プレミアム感を持たせた表示態様で目的地周辺の店舗・施設等のウェブページに提示できる。
【００９６】
本実施形態によれば、遠方の目的地への移動を促すとともに、目的地周辺地域の店舗または施設等に対する訪問価値を高めて地域活性化に結び付けることが可能な広告の配信技術が提供できる。
【００９７】
（変形例１）
車両Ｖ１に搭載された車載装置２０は、目的地に至るまでの経路情報を取得することもできる。変形例１の広告配信サーバ１０では、例えば、車載装置２０から通知された経路情報に基づいて、特典情報として提供されるポイントの使用店舗を、経路上の給油所や整備工場等に割り当てることもできる。変形例１の形態では、目的地に至る経路上の地域活性化を図ることが可能になる。
【００９８】
（変形例２）
広告配信サーバ１０は、利用履歴ＤＢ１６に蓄積されたユーザの利用履歴情報を、来訪情報の提示や、特典情報の付与に反映させてもよい。例えば、広告配信サーバ１０は、利用履歴ＤＢ１６に蓄積された特典情報の使用傾向や、特典情報が使用された地域範囲の傾向を特定する。そして、広告配信サーバ１０は、例えば、ユーザが特典情報を使用した地域において、未だ訪問していない店舗等が存在するときには、当該店舗等の割引率を高めに設定して提示することもできる。また、広告配信サーバ１０は、ユーザの利用回数を店舗毎に計数し、当該係数値に応じてウェブページに表示される来訪情報の内容を変えるようにしてもよい。例えば、「東京都新宿の＊＊さんが、当店舗のリピータになりました」といった内容や、「当店を贔屓にする東京都新宿の＊＊さんのオススメは、＊＊＊です」といった内容をウェブページに表示できる。変形例２の形態では、さらなるプレミアム感や地域とユーザとの一体感を演出することが可能になり、地域活性化に結び付けることが期待できる。
【００９９】
＜その他の実施形態＞
上記の実施形態はあくまでも一例であって、本実施の形態の開示はその要旨を逸脱しない範囲内で適宜変更して実施しうる。本開示において説明した処理や手段は、技術的な矛盾が生じない限りにおいて、自由に組み合わせて実施することができる。
【０１００】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【０１０１】
情報処理装置その他の機械、装置（以下、コンピュータ等）に上記いずれかの機能を実
現させるプログラムをコンピュータ等が読み取り可能な記録媒体に記録することができる。そして、コンピュータ等に、この記録媒体のプログラムを読み込ませて実行させることにより、その機能を提供させることができる。
【０１０２】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリなどのメモリカード等がある。また、コンピュータ等に固定された記録媒体としてハードディスクやＲＯＭ等がある。
【符号の説明】
【０１０３】
１      広告配信システム
１０    広告配信サーバ
１１    車両情報取得部
１２    広告配信部
１３    特典利用管理部
１４    ユーザ情報ＤＢ
１５    広告情報ＤＢ
１６    利用履歴ＤＢ
１７    地図情報ＤＢ
２０    車載装置
３０    乗員端末
４０    店舗端末
５０    広告主サーバ
【図１】
2020052713.tif 000003
【図２】
2020052713.tif 000004
【図３】
2020052713.tif 000005
【図４】
2020052713.tif 000006
【図５】
2020052713.tif 000007
【図６】
2020052713.tif 000008
【図７】
2020052713.tif 000009
【図８】
2020052713.tif 000010
【図９】
2020052713.tif 000011
【図１０】
2020052713.tif 000012